(57)【要約】【課題】  ブログのトラックバック制御方法の提供。【解決手段】受信側サイト４３が、送信側サイト４０から、送信側サイト４０の投稿記事の第２ＵＲＬ及び受信側サイト４３の第１ＵＲＬを含むトラックバック情報を受信したとき、前記第１ＵＲＬの投稿記事中に受信したトラックバック情報に含まれる第２ＵＲＬを含めて表示すると共に、前記送信側サイト４０に前記の第２ＵＲＬを含む返信トラックバック情報を返信し、この返信トラックバック情報を受信した送信側サイト４０が、第２ＵＲＬの投稿記事に第１ＵＲＬを含ませて表示することによって相互リンクを表示可能としたと共に、送信側サイト４０がリンク切れが生じたとき、受信側サウト４３にリンク切れを通知するもの。【選択図】図３
2009169788.tif 000002
【特許請求の範囲】
【請求項１】
ウェブサイトシステムを構成するインターネット通信網により接続され、投稿記事に情報資源場所情報であるＵＲＬが設定されると共に、前記投稿記事の入力及び表示を制御する制御部を有するウェブサーバであって、
一方のウェブサーバの制御部が、
他方のウェブサーバから、前記一方のウェブサーバに入力された投稿記事の第１ＵＲＬ及び他方のウェブサーバの投稿記事の第２ＵＲＬを含むトラックバック情報を受信したとき、前記第１ＵＲＬが設定された投稿記事に前記受信したトラックバック情報に含まれる第２ＵＲＬを含めて表示すると共に、前記他方のウェブサーバに前記他方のウェブサーバの第２ＵＲＬを含む返信トラックバック情報を返信し、
他方のウェブサーバから、前記一方のウェブサーバの投稿記事の第１ＵＲＬ及び他方のウェブサーバの投稿記事の第２ＵＲＬを含む返信トラックバック情報を受信したとき、前記第１ＵＲＬが設定された投稿記事に前記第２ＵＲＬを含ませて表示するウェブサーバ。
【請求項２】
前記一方のウェブサーバの制御部が、前記他方のウェブサーバから、前記第１ＵＲＬが設定された投稿記事から第２ＵＲＬの表示を削除する削除依頼情報を受信したとき、前記第１ＵＲＬが設定された投稿記事から前記第２ＵＲＬを削除して表示する請求項１記載のウェブサーバ。
【請求項３】
投稿記事に情報資源場所情報であるＵＲＬが設定されると共に、前記投稿記事の入力及び表示を制御する制御部を有するウェブサーバをインターネット通信網を介して接続したウェブサーバシステムのトラックバック制御方法であって、
一方のウェブサーバの制御部が、
他方のウェブサーバから、前記一方のウェブサーバに入力された投稿記事の第１ＵＲＬ及び他方のウェブサーバの投稿記事の第２ＵＲＬを含むトラックバック情報を受信したとき、前記第１ＵＲＬが設定された投稿記事に前記受信したトラックバック情報に含まれる第２ＵＲＬを含めて表示すると共に、前記他方のウェブサーバに前記他方のウェブサーバの第２ＵＲＬを含む返信トラックバック情報を返信し、
他方のウェブサーバから、前記一方のウェブサーバの投稿記事の第１ＵＲＬ及び他方のウェブサーバの投稿記事の第２ＵＲＬを含む返信トラックバック情報を受信したとき、前記第１ＵＲＬが設定された投稿記事に前記第２ＵＲＬを含ませた表示を行うトラックバック制御方法。
【請求項４】
前記一方のウェブサーバの制御部が、前記他方のウェブサーバから、前記第１ＵＲＬが設定された投稿記事から第２ＵＲＬの表示を削除する削除依頼情報を受信したとき、前記第１ＵＲＬが設定された投稿記事から前記第２ＵＲＬを削除して表示する請求項３記載のトラックバック制御方法。
【請求項５】
投稿記事に情報資源場所情報であるＵＲＬが設定されると共に、前記投稿記事の入力及び表示を制御する制御部を有するウェブサーバをインターネット通信網を介して接続したウェブサーバシステムであって、
一方のウェブサーバの制御部が、
他方のウェブサーバから、前記一方のウェブサーバに入力された投稿記事の第１ＵＲＬ及び他方のウェブサーバの投稿記事の第２ＵＲＬを含むトラックバック情報を受信したとき、
前記第１ＵＲＬが設定された投稿記事に前記受信したトラックバック情報に含まれる第２ＵＲＬを含めて表示する工程と、
前記他方のウェブサーバの第２ＵＲＬを含む返信トラックバック情報を他方のウェブサーバに返信する工程とを行い、
前記他方のウェブサーバの制御部が、
前記一方のウェブサーバから返信トラックバック情報を受信したとき、前記第２ＵＲＬが設定された投稿記事に前記第１ＵＲＬを含ませた表示を行う工程とを行うウェブサーバシステム。
【請求項６】
前記一方のウェブサーバの制御部が、
第１ＵＲＬを設定した投稿記事が公開期限を超過したとき又は削除されたとき、他方のウェブサーバの第２ＵＲＬが設定された投稿記事から第１ＵＲＬを削除する削除依頼情報を他方のウェブサーバに送信する工程を行い、
前記他方のウェブサーバの制御部が、
前記一方のウェブサーバから前記第１ＵＲＬの削除依頼情報を受信したとき、第２ＵＲＬが設定された投稿記事から前記第１ＵＲＬを削除した表示を行う請求項５記載のウェブサーバシステム。
【請求項７】
投稿記事に情報資源場所情報であるＵＲＬが設定されると共に、前記投稿記事の入力及び表示を制御する制御部を有するウェブサーバをインターネット通信網を介して接続したウェブサーバシステムのトラックバック制御方法であって、
一方のウェブサーバの制御部が、
他方のウェブサーバから、前記一方のウェブサーバに入力された投稿記事の第１ＵＲＬ及び他方のウェブサーバの投稿記事の第２ＵＲＬを含むトラックバック情報を受信したとき、
前記第１ＵＲＬが設定された投稿記事に前記受信したトラックバック情報に含まれる第２ＵＲＬを含めて表示する工程と、
前記他方のウェブサーバの第２ＵＲＬを含む返信トラックバック情報を他方のウェブサーバに返信する工程とを行い、
前記他方のウェブサーバの制御部が、
前記一方のウェブサーバから返信トラックバック情報を受信したとき、前記第２ＵＲＬが設定された投稿記事に前記第１ＵＲＬを含ませた表示を行う工程とを行うウェブサーバシステムのトラックバック制御方法。
【請求項８】
前記一方のウェブサーバの制御部が、
第１ＵＲＬを設定した投稿記事が公開期限を超過したとき又は削除されたとき、他方のウェブサーバの第２ＵＲＬが設定された投稿記事から第１ＵＲＬを削除する削除依頼情報を他方のウェブサーバに送信する工程を行い、
前記他方のウェブサーバの制御部が、
前記一方のウェブサーバから前記第１ＵＲＬの削除依頼情報を受信したとき、第２ＵＲＬが設定された投稿記事から前記第１ＵＲＬを削除した表示を行う請求項７記載のウェブサーバシステムのトラックバック制御方法。
【発明の詳細な説明】
【技術分野】
【０００１】
本発明は、インターネット通信網を介して接続されるウェブサーバ、この複数のウェブサーバから構成されるウェブサーバシステム、並びに前記ウェブサーバシステムにおけるトラックバックを制御するトラックバック情報制御方法に関する。
【背景技術】
【０００２】
近年のインターネットを介したウェブサーバシステムにおいては、あるウェブサーバから他のウェブサーバへリンクを張った際に、リンク先の相手に対してリンクを張ったことを通知するトラックバック機能が採用されている。このトラックバック機能は、例えば、ウェブサーバの作者が他のウェブサーバの記事を参照して自身のウェブサーバにコメントを掲載するような場合、元の記事へリンクしただけでは元の記事の作者はどこからどうリンクされているのかを容易に知ることができないため、リンク元サイトに「このような記事からリンクを張った」という情報を通知する仕組みであって、リンク元記事のＵＲＬやタイトルや内容の要約などのトラックバック情報が送信され、トラックバック情報を受信した受信側サイトが前記トラックバック情報を元に「この記事を参照している記事一覧」を自動的に生成するものである。尚、ＵＲＬ（Ｕｎｉｆｏｒｍ  Ｒｅｓｏｕｒｃｅ  Ｌｏｃａｔｏｒ）とは、インターネット上に存在する情報資源(文書や画像など)の場所を指し示す記述情報であって情報の種類やサーバ名、ポート番号、フォルダ名、ファイル名などで構成され、本出願では、情報資源場所情報とも呼ぶ。尚、前記ウェブサーバは、ウェブサイトとも呼ばれる。
【０００３】
この相手に送信されるトラックバック情報の通知は「トラックバック・ピング」（ｔｒａｃｋｂａｃｋ  Ｐｉｎｇ）と呼ばれ、ブログ記事を発信者が記述する際に「トラックバックＰｉｎｇ−ＵＲＬ」の欄にトラックバックのＵＲＬを入力することによってトラックバック情報が通知される。
【０００４】
このトラックバック機能が実装されたことにより近年のウェブサーバシステム（ウェブサイトを構成するシステム）は、構築されたウェブサーバ（ブログ）間での一対一のコミュニケーションと通知が可能となった。
【０００５】
これによって、トラックバック機能を有するウェブサーバシステムは、（１）受信側サイトが、自己のサイトの特定の投稿を参照した全サイトを自動的にリストアップすることができ、受信側サイトの読者は、送信者の投稿を含むインターネット内の関連した他サイト全ての投稿を読むことができ、更に（２）トラックバック情報を送信することにより、受信者の投稿に対して送信側サイトの投稿記事へのリンクを成立させることができる。
【０００６】
尚、前記トラックバック機能に関する技術が記載された文献としては、下記特許文献が挙げられ、この特許文献には、リンクを張ったという情報として、リンク元の記事のＵＲＬ、記事のタイトル、記事の要約及び記事の日付等に加え、記事に付随した画像が保存されたＵＲＬを含むファイル名をリンク先に通知することによって、リンク元の記事の情報を画像を用いて把握でき、ウェブログページのトラックバックによるコミュニケーションを円滑に行うことが記載されている。
【特許文献１】特開２００７−４３００号公報
【発明の開示】
【発明が解決しようとする課題】
【０００７】
前述の従来技術によるウェブサーバシステムは、受信側サイトが受信したトラックバック情報を自動処理し、受信側サイトでの投稿記事に送信側サイトの投稿へのリンクは表示されるが、送信側サイトでの投稿記事には受信側サイトへのリンク（トラックバックＰｉｎｇ−ＵＲＬ）を表示することができないと共に、送信側サイトにおいても、トラックバック情報を送信した先（受信側のトラックバックＰｉｎｇ−ＵＲＬ）の投稿内容を管理することができず、どのような投稿に対してトラックバック情報を送信したのかを確認することができないと言う不具合を招くものであった。
【０００８】
更に従来技術によるウェブサーバシステムは、送信側サイトの投稿の内容が変更、もしくは送信先（受信側）のウェブサーバの投稿の内容が変更になり、互いの投稿に関連性がなくなった場合や、送信者が誤ったウェブサーバの投稿にトラックバック情報を送信してしまった場合にも、一度送信されたトラックバック情報を送信者が削除することができず、受信者の判断に頼るしかないと言う不具合があった。
【０００９】
この従来技術によるウェブサーバシステムを図を参照して説明する。図１０は従来のウェブサーバシステムにおける、新規投稿を登録してから投稿が削除されるまでのフロー図、図１１は従来のウェブサーバシステムにおける、トラックバック情報を送信しない場合の送信者側・受信者側の投稿の表示内容を示す図、図１２は従来のウェブサーバシステムにおける、投稿を削除した場合の送信者側・受信者側の投稿の表示内容を示す図である。
【００１０】
従来技術によるウェブサーバシステムは、図１０に示す如く、ある送信側（ウェブ）サイトのブログに新規投稿記事の登録を行う際（ステップ１０１）、他のブログに関連する投稿が存在するか否かを「トラックバックＰｉｎｇ−ＵＲＬ」欄のＵＲＬの有無により判定（ステップ１０２）し、関連する投稿が存在すると判定したとき、当該「トラックバックＰｉｎｇ−ＵＲＬ」に送信するトラックバック情報を生成（ステップ１０３）し、この生成したトラックバック情報を当該「トラックバックＰｉｎｇ−ＵＲＬ」の投稿記事に送信（ステップ１０４）し、前記判定において関連する投稿が存在しないと判定したとき又は前記トラックバック情報を該当する投稿に送信に続いて自己（送信側サイト）の投稿情報を表示（ステップ１０５）する様に動作する。
【００１１】
このときに送信側サイトに表示される投稿情報は、トラックバック情報を送信した場合及び送信しない場合も、図１１（ａ）「送信者側の投稿」の符号２２に示す如く、「トラックバックＰｉｎｇ−ＵＲＬ」を入力した場合であっても当該ＵＲＬは表示されないため、これの閲覧者は本件記事に対して入力された「トラックバックＰｉｎｇ−ＵＲＬ」を見ることができないものであった。尚、図１１（ａ）「送信者側の投稿」中には「この投稿のトラックバック−なし」と表示されているが、この表示は他サイトが図示の投稿記事へトラックバック情報を送信したときに表示されるものである。
【００１２】
また、受信側（ウェブ）サーバの投稿記事の表示内容は、トラックバック情報を受信した場合、図１２（ｂ）の符号３３に示す「受信側の投稿」の下段には前記トラックバック情報の送信元のＵＲＬを含む受信トラックバック情報も表示するものであるが、時間経過によって送信側サイト投稿記事が公開期限に達したり削除された場合、図１０のステップ１０６及び１０７に示す如く、期限を越えた等の投稿記事（コンテンツ）が削除される。
【００１３】
このため、閲覧者が「受信側の投稿」３３には受信トラックバック情報を参照し、この受信トラックバック情報のＵＲＬを閲覧者がクリックしても、図１２（ａ）に示す如く、送信側の投稿が存在しないことになる。
【００１４】
即ち、従来技術によるトラックバック制御方法を採用したウェブサーバシステムは、あるサイトの投稿記事に他サイトへの「トラックバックＰｉｎｇ−ＵＲＬ」を入力した場合でも、投稿側記事を参照しても前記「トラックバックＰｉｎｇ−ＵＲＬ」を知ることができないと共に、両サイトの記事に関連性がなくなった場合でもリンクが維持されると言う不具合があった。
【００１５】
本発明の目的は、受信側のウェブサーバの投稿へのリンクを送信側のウェブサーバの投稿に表示させると共に、送信側のウェブサーバで送信トラックバック情報の送信側の投稿情報を管理することができるウェブサーバ、ウェブサーバシステム及びトラックバック制御方法を提供することである。
【課題を解決するための手段】
【００１６】
前記目的を達成するために本発明は、ウェブサーバシステムを構成するインターネット通信網により接続され、投稿記事に情報資源場所情報であるＵＲＬが設定されると共に、前記投稿記事の入力及び表示を制御する制御部を有するウェブサーバであって、
一方のウェブサーバの制御部が、
他方のウェブサーバから、前記一方のウェブサーバに入力された投稿記事の第１ＵＲＬ及び他方のウェブサーバの投稿記事の第２ＵＲＬを含むトラックバック情報を受信したとき、前記第１ＵＲＬが設定された投稿記事に前記受信したトラックバック情報に含まれる第２ＵＲＬを含めて表示すると共に、前記他方のウェブサーバに前記他方のウェブサーバの第２ＵＲＬを含む返信トラックバック情報を返信し、
他方のウェブサーバから、前記一方のウェブサーバの投稿記事の第１ＵＲＬ及び他方のウェブサーバの投稿記事の第２ＵＲＬを含む返信トラックバック情報を受信したとき、前記第１ＵＲＬが設定された投稿記事に前記第２ＵＲＬを含ませて表示することを第１の特徴とする。
【００１７】
また本発明は、前記特徴のウェブサーバにおいて、前記一方のウェブサーバの制御部が、前記他方のウェブサーバから、前記第１ＵＲＬが設定された投稿記事から第２ＵＲＬの表示を削除する削除依頼情報を受信したとき、前記第１ＵＲＬが設定された投稿記事から前記第２ＵＲＬを削除して表示することを第２の特徴とする。
【００１８】
更に本発明は、投稿記事に情報資源場所情報であるＵＲＬが設定されると共に、前記投稿記事の入力及び表示を制御する制御部を有するウェブサーバをインターネット通信網を介して接続したウェブサーバシステムのトラックバック制御方法であって、
一方のウェブサーバの制御部が、
他方のウェブサーバから、前記一方のウェブサーバに入力された投稿記事の第１ＵＲＬ及び他方のウェブサーバの投稿記事の第２ＵＲＬを含むトラックバック情報を受信したとき、前記第１ＵＲＬが設定された投稿記事に前記受信したトラックバック情報に含まれる第２ＵＲＬを含めて表示すると共に、前記他方のウェブサーバに前記他方のウェブサーバの第２ＵＲＬを含む返信トラックバック情報を返信し、
他方のウェブサーバから、前記一方のウェブサーバの投稿記事の第１ＵＲＬ及び他方のウェブサーバの投稿記事の第２ＵＲＬを含む返信トラックバック情報を受信したとき、前記第１ＵＲＬが設定された投稿記事に前記第２ＵＲＬを含ませた表示を行うことを第３の特徴とする。
【００１９】
また本発明は、前記第３の特徴のトラックバック制御方法において、前記一方のウェブサーバの制御部が、前記他方のウェブサーバから、前記第１ＵＲＬが設定された投稿記事から第２ＵＲＬの表示を削除する削除依頼情報を受信したとき、前記第１ＵＲＬが設定された投稿記事から前記第２ＵＲＬを削除して表示することを第４の特徴とする。
【００２０】
更に本発明は、投稿記事に情報資源場所情報であるＵＲＬが設定されると共に、前記投稿記事の入力及び表示を制御する制御部を有するウェブサーバをインターネット通信網を介して接続したウェブサーバシステムであって、
一方のウェブサーバの制御部が、
他方のウェブサーバから、前記一方のウェブサーバに入力された投稿記事の第１ＵＲＬ及び他方のウェブサーバの投稿記事の第２ＵＲＬを含むトラックバック情報を受信したとき、
前記第１ＵＲＬが設定された投稿記事に前記受信したトラックバック情報に含まれる第２ＵＲＬを含めて表示する工程と、
前記他方のウェブサーバの第２ＵＲＬを含む返信トラックバック情報を他方のウェブサーバに返信する工程とを実行し、
前記他方のウェブサーバの制御部が、
前記一方のウェブサーバから返信トラックバック情報を受信したとき、前記第２ＵＲＬが設定された投稿記事に前記第１ＵＲＬを含ませた表示を行う工程とを行うことを第５の特徴とする。
【００２１】
また本発明は、前記第５の特徴のウェブサーバシステムにおいて、前記一方のウェブサーバの制御部が、第１ＵＲＬを設定した投稿記事が公開期限を超過したとき又は削除されたとき、他方のウェブサーバの第２ＵＲＬが設定された投稿記事から第１ＵＲＬを削除する削除依頼情報を他方のウェブサーバに送信する工程を行い、前記他方のウェブサーバの制御部が、前記一方のウェブサーバから前記第１ＵＲＬの削除依頼情報を受信したとき、第２ＵＲＬが設定された投稿記事から前記第１ＵＲＬを削除した表示を行うことを第６の特徴とする。
【００２２】
更に本発明は、投稿記事に情報資源場所情報であるＵＲＬが設定されると共に、前記投稿記事の入力及び表示を制御する制御部を有するウェブサーバをインターネット通信網を介して接続したウェブサーバシステムのトラックバック制御方法であって、
一方のウェブサーバの制御部が、
他方のウェブサーバから、前記一方のウェブサーバに入力された投稿記事の第１ＵＲＬ及び他方のウェブサーバの投稿記事の第２ＵＲＬを含むトラックバック情報を受信したとき、
前記第１ＵＲＬが設定された投稿記事に前記受信したトラックバック情報に含まれる第２ＵＲＬを含めて表示する工程と、
前記他方のウェブサーバの第２ＵＲＬを含む返信トラックバック情報を他方のウェブサーバに返信する工程とを行い、
前記他方のウェブサーバの制御部が、
前記一方のウェブサーバから返信トラックバック情報を受信したとき、前記第２ＵＲＬが設定された投稿記事に前記第１ＵＲＬを含ませた表示を行う工程とを行うことを第７の特徴とする。
【００２３】
また本発明は、前記第７の特徴のトラックバック制御方法において、
前記一方のウェブサーバの制御部が、
第１ＵＲＬを設定した投稿記事が公開期限を超過したとき又は削除されたとき、他方のウェブサーバの第２ＵＲＬが設定された投稿記事から第１ＵＲＬを削除する削除依頼情報を他方のウェブサーバに送信する工程を行い、
前記他方のウェブサーバの制御部が、
前記一方のウェブサーバから前記第１ＵＲＬの削除依頼情報を受信したとき、第２ＵＲＬが設定された投稿記事から前記第１ＵＲＬを削除した表示を行うことを第８の特徴とする。
【発明の効果】
【００２４】
本発明によるウェブサーバ、ウェブサーバシステム及びトラックバック制御方法は、一方のウェブサーバがトラックバック情報を送った他のウェブサーバから返信トラックバック情報を受信したとき、該返信トラックバック情報に含まれる送信先の他のウェブサーバの第２ＵＲＬを第１ＵＲＬが設定された投稿記事中に表示することによって、一方のウェブサーバの閲覧者がリンクを張った他のウェブサーバを知ることができ、両ウェブサーバの相互リンクを容易に確立することができる。
また本発明によるウェブサーバ、ウェブサーバシステム及びトラックバック制御方法は、前記両ウェブサーバのリンクが断たれたとき、一方のウェブサーバが他方のウェブサーバにリンク切れを通知して前記他ウェブサーバの第２ＵＲＬを第１ＵＲＬが設定された投稿記事中から消すことができる。
【発明を実施するための最良の形態】
【００２５】
以下、本発明によるウェブサーバシステム及びトラックバック制御方法を図面を参照して詳細に説明する。図１は本発明の一実施例によるトラックバック制御方法を適用したウェブサーバシステムの一例を示す図、図２は本実施形態による送信側サイト及び受信側サイトが備える機能を説明するための図、図３は本実施形態によるウェブサーバシステムにおける処理フローを示す図、図４は本実施形態による送信側及び受信側サイトの表示画面内容を示す図、図５は本実施形態による投稿を削除した場合の送信側及び受信側サイトの表示画面内容を示す図、図６は本実施形態による送信済トラックバック情報の削除フローを示す図、図７は本実施形態によるトラックバック情報の一例を示す図、図８は本実施形態による返信トラックバック情報の一例を示す図、図９は本実施形態による送信済トラックバックの削除依頼情報の一例を示す図である。
【００２６】
［構成］
本実施形態の対象となるウェブサーバシステムは、例えば図１に示す如く、一方のウェブログ（ブログ）を有する送信側（ウェブ）サイト４０と、他方のウェブログ（ブログ）を有する受信側（ウェブ）サイト４３と、該サイト４０及び４３とを接続するインターネット回線網４２とから構成され、例えば送信側サイト４０の利用者が自己のブログに記事を書き込む際、自己ブログ投稿画面の「トラックバックＰｉｎｇ−ＵＲＬ」欄に受信側サイト４３のＵＲＬを入力したとき、自己ブログ投稿画面のＵＲＬを含むトラックバック情報を受信側サイト４３に送信することによって、当該受信側サイト４３が自己のブログの投稿画面に当該投稿記事にリンクが張られたことを示すトラックバックＵＲＬを表示するものである。尚、前記サイト４０及び４３は、インターネット通信網上においてＨＴＭＬ文書や画像などの情報をブログとして蓄積しておき、ウェブブラウザなどのクライアントソフトウェアの要求に応じた情報処理を行うウェブサーバであって、ＣＰＵ／メモリ／ＨＤＤ／ディスプレイ等から構成され、一般の利用者がパーソナルコンピュータを用いて前記サイト４０及び４３にアクセスし、記事の投稿及び閲覧を行うように構成されている。
【００２７】
前記送信側サイト４０は、図２（ａ）に示す如く、投稿画面に入力された「トラックバックＰｉｎｇ−ＵＲＬ」にて指定された送信側サイトの投稿記事にトラックバック情報を送信するトラックバック情報送信手段５０１と、後述する受信側サイト４３から送られる返信トラックバック情報を蓄積する情報蓄積手段５０２と、該返信された返信トラックバック情報をディスプレイに表示させるための返信トラックバック情報表示手段５０３と、自己のトラックバック情報を送信した投稿記事が削除されたときに受信側サイト４３に以前に送信したトラックバック情報の削除を依頼する送信済トラックバック情報削除依頼手段５０４と、前記各手段５０１〜５０４を制御するトラックバック情報処理手段５０５とを備える。
【００２８】
前記受信側サイト４３は、図２（ｂ）に示す如く、送信側サイト４０から受信したトラックバック情報を蓄積する受信トラックバック情報蓄積手段５０６と、送信側サイト４０から受信したトラックバック情報を受信したときに返信トラックバック情報を返信する返信トラックバック情報送信手段５０７と、前記受信側サイト４３の送信済トラックバック情報削除依頼手段５０４から指定されたトラックバック情報を削除する受信トラックバック情報削除手段５０８と、前記各手段５０６〜５０８を制御するトラックバック情報処理手段５０５とを備える。
【００２９】
尚、本例においては、理解を容易にするために送信側サイトと受信側サイトとを区別して説明するが、実際の各サイトは送信側にも受信側にもなる機能を備えるため、図２に示した全手段をサイト（ブログ）が、専用のハードウェア、又はＣＰＵより制御されるメモリ及びプログラムによって構成されている。
【００３０】
前記トラックバック情報は、図７に示す如く、トラックバック情報を送信するコンテンツ（投稿記事）のタイトルと、トラックバック情報を送信する相手先サイトのコンテンツ（投稿記事）ＵＲＬ（「トラックバックＰｉｎｇ−ＵＲＬ」）と、トラックバック情報を送信する元の記事の概要と、トラックバック情報を送信するコンテンツのブログ（サイト）名の各項目とから構成され、各欄に該当の情報を格納して成る。
【００３１】
また前記情報蓄積手段５０２が蓄積する返信トラックバック情報は、図８に示す如く、受信したトラックバック情報にエラーが有るか否かを示すエラー有無（なし：０／有り：１）と、エラー内容に応じたエラーメッセージと、受信したトラックバック情報を管理するために一意に付与したＩＤ（識別番号）と、トラックバック情報を受信したコンテンツ（投稿記事）のタイトルと、同コンテンツのＵＲＬと、同コンテンツの概要と、同コンテンツのブログ（サイト）名との各項目から構成され、各欄に該当の情報を格納して成る。
【００３２】
更に前記送信済トラックバック情報削除依頼手段５０４が送信する削除依頼情報は、図９に示す如く、前記返信トラックバック情報に含まれるトラックバック情報のＩＤから成る。
【００３３】
［動作］
次に前述のように構成された本実施形態によるウェブサーバシステムのトラックバック制御方法の動作を図３乃至図９を参照して説明する。
本実施形態によるウェブサーバシステムは、図３に示す如く、送信側サイト４０にて「トラックバックＰｉｎｇ−ＵＲＬ」を含む新規な投稿記事の登録をステップ６０により開始したとき、トラックバック情報処理手段５０５が、トラックバック情報を生成するステップ６２と、該生成したトラックバック情報をトラックバック情報送信手段５０１を用いて受信側サイト４３に送信するステップ６２と、このトラックバック情報を受信した受信側サイト４３のトラックバック情報処理手段５０５が、当該トラックバック情報を受信トラックバック情報蓄積手段５０６に蓄積するステップ６４と、該蓄積したトラックバック情報を元に作成した返信トラックバック情報を返信トラックバック情報送信手段５０７により送信側サイト４０に返信するステップ６５と、前記受信したトラックバック情報を図示しないディスプレスに表示するステップ６６と、前記ステップ６５により送信側サイト４０に返送した返信トラックバック情報を受信するステップ６７と、前記受信した返信トラックバック情報を返信トラックバック情報を返信トラックバック情報蓄積手段５０２に蓄積するステップ６８と、この返信トラックバック情報を送信側サイト４０の返信トラックバック情報表示手段５０３がディスプレイに表示するステップ６９とを実行する。
【００３４】
この一連の動作によって本実施形態によるウェブサーバシステムは、受信側サイト４３のトラックバック情報処理手段５０５が受信したトラックバック情報に対して図８に示したトラックバック情報を受信したコンテンツ（ブログ）のＵＲＬを含む返信トラックバック情報を送信元の送信側サイト４０に返信し、これを受けた送信側サイト４０のトラックバック情報処理手段５０５が受信した返信トラックバック情報のＵＲＬを投稿記事に含ませて表示することによって、図４（ａ）に示す如く送信側サイト４０の投稿記事７１にリンクしたトラックバックの「トラックバックＰｉｎｇ−ＵＲＬ」を表示すると共に、図４（ｂ）に示す如く、受信側サイト４３の投稿記事７２においてもリンクを張った元のサイトの「トラックバック元−ＵＲＬ」を表示することができ、従って送信側サイト４０を閲覧した第三者もトラックバックの「トラックバックＰｉｎｇ−ＵＲＬ」を閲覧することができる。
【００３５】
更に本実施形態によるウェブサーバシステムは、例えば両サイトのリンクが投稿記事削除や公開期間超過によって断たれたとき、これを投稿記事に反映することができ、この処理動作を図６を参照して説明する。
本実施形態によるウェブサーバシステムは、図６に示す如く、送信側サイト４０のトラック情報を記入した投稿記事が公開期限切れ又は削除されたとき、これのリンク切れをトラックバック情報処理手段５０５が検出し、この検出に基づいて送信済トラックバック情報削除依頼手段５０４が、受信側サウト４３に対して該当トラックバック情報の削除依頼情報を発するステップ９１と、前記削除依頼情報を受信した受信側サイト４３のトラックバック情報処理手段５０５が受信トラックバック情報削除手段５０８を用いて該当投稿記事の「トラックバック元−ＵＲＬ」を削除するステップ９２と、この削除した該当投稿記事を再表示するステップ９４と、当該トラックバック情報を削除したことを発信側サイト４０に通知するステップ９３と、この削除通知を発信側サイト４０のトラックバック情報処理手段５０５が受信するステップ９５と、前記生成した送信済トラックバック情報及び返信トラックバック情報を削除するステップ９６と、該当のコンテンツ（投稿記事）を削除するステップ９７を実行する。
【００３６】
これら一連の処理によって本実施形態よるウェブサーバシステムは、トラックバック情報を送信した送信側サイト４０が、トラックバックが解除されたこと（リンクが切れたこと）を受信側サイト４３に通知し、これを受けた受信側サイト４３が該当記事の「トラックバック元−ＵＲＬ」を削除することによって、リンク切れを受信サイト４３の投稿記事に反映することができ、これによって受信側サイト４３の閲覧者もリンクが切れたサイトへの無駄なアクセスを防止することができる。
【００３７】
以上説明したように本発明にるトラックバック制御方法を適用したウェブサーバシステムは、受信側サイトの投稿記事へのリンク情報を送信側サイトの投稿記事に表示することができると同時に、送信側サイトのブログにおいて送信済トラックバックの送信先の投稿内容を管理することができる。更に本発明によれば、誤って送信したトラックバックや、投稿を変更・削除したことによって不整合が生じたトラックバック情報を削除することができる。即ち、本発明によれば、相互リンクを容易に生成し、相互リンクが切れた際にリンク切れの状態を受信側サイトに容易に反映することができる。
【図面の簡単な説明】
【００３８】
【図１】本発明の一実施例によるトラックバック制御方法を適用したウェブサーバシステムの一例を示す図。
【図２】本実施形態による送信側及び受信側サイトが備える機能を説明するための図。
【図３】本実施形態によるウェブサーバシステムにおける処理フローを示す図。
【図４】本実施形態による送信側及び受信側サイトの表示画面内容を示す図。
【図５】本実施形態による投稿を削除した場合の送信側及び受信側サイトの表示画面内容を示す図。
【図６】本実施形態による送信済トラックバック情報の削除フローを示す図。
【図７】本実施形態によるトラックバック情報の一例を示す図。
【図８】本実施形態による返信トラックバック情報の一例を示す図。
【図９】本実施形態による送信済トラックバックの削除依頼情報の一例を示す図。
【図１０】従来の新規投稿を登録してから投稿が削除されるまでのフロー図。
【図１１】従来のウェブサーバシステムにおける、トラックバック情報を送信しない場合の送信者側・受信者側の投稿の表示内容を示す図。
【図１２】従来の投稿を削除した場合の送信者側・受信者側の投稿の表示内容を示す図。
【符号の説明】
【００３９】
４０：送信側サイト、４２：インターネット回線網、４３：受信側サイト、７１〜７２：投稿記事、５０１：トラックバック情報送信手段、５０２：返信トラック情報蓄積手段、５０２：返信トラックバック情報蓄積手段、５０３：返信トラックバック情報表示手段、５０４：送信済トラックバック情報削除依頼手段、５０５：トラックバック情報処理手段、５０６：受信トラックバック情報蓄積手段、５０７：返信トラックバック情報送信手段、５０８：受信トラックバック情報削除手段。
【図１】
2009169788.tif 000003
【図２】
2009169788.tif 000004
【図３】
2009169788.tif 000005
【図４】
2009169788.tif 000006
【図５】
2009169788.tif 000007
【図６】
2009169788.tif 000008
【図７】
2009169788.tif 000009
【図８】
2009169788.tif 000010
【図９】
2009169788.tif 000011
【図１０】
2009169788.tif 000012
【図１１】
2009169788.tif 000013
【図１２】
2009169788.tif 000014